(57)【要約】【課題】スタンド部材およびスピーカを取り付けるための部材の部品点数が増加することを抑制することが可能な表示装置を提供する。【解決手段】このテレビジョン装置１（表示装置）は、表示パネル２２を含む表示装置本体２と、表示装置本体２を支持するスタンド部材３と、表示装置本体２に設けられるスピーカ２７（２８）と、表示装置本体２に設けられ、スピーカ２７（２８）を取り付けるスピーカ取付部２４２（２４３）とスタンド部材３を取り付けるスタンド取付部２４１とが一体的に形成されたスピーカ／スタンド取付部材２４とを備えている。【選択図】図３
2013051484.tif 000002
【特許請求の範囲】
【請求項１】
表示パネルを含む表示装置本体と、
前記表示装置本体を支持するスタンド部材と、
前記表示装置本体に設けられるスピーカと、
前記表示装置本体に設けられ、前記スピーカを取り付けるスピーカ取付部と前記スタンド部材を取り付けるスタンド取付部とが一体的に形成された取付部材とを備えた、表示装置。
【請求項２】
前記スピーカは、第１スピーカと第２スピーカとを含み、
前記取付部材の前記スピーカ取付部は、前記第１スピーカを取り付けるための第１スピーカ取付部と前記第２スピーカを取り付けるための第２スピーカ取付部とを含み、
前記第１スピーカ取付部と前記第２スピーカ取付部とは、前記スタンド取付部を挟み込むように配置された状態で、前記スタンド取付部と一体的に形成されている、請求項１に記載の表示装置。
【請求項３】
前記取付部材には、前記スピーカ取付部および前記スタンド取付部に加えて、電源コードを取り付けるための電源コード取付部も一体的に設けられている、請求項１または２に記載の表示装置。
【請求項４】
前記取付部材には、前記電源コードを外部に引き出すための電源コード引出用開口部が設けられている、請求項３に記載の表示装置。
【請求項５】
前記表示パネルの後面に取り付けられる回路基板をさらに備え、
前記取付部材には、前記スピーカ取付部および前記スタンド取付部に加えて、前記回路基板と前記スピーカとを接続するための配線を取り付ける配線取付部も一体的に設けられている、請求項１〜４のいずれか１項に記載の表示装置。
【請求項６】
前記表示パネルの後面に取り付けられる回路基板と、
前記表示パネルの後面に取り付けられた前記回路基板を覆うカバー部材とをさらに備え、
前記取付部材は、前記カバー部材の一部を構成するように配置されている、請求項１〜５のいずれか１項に記載の表示装置。
【請求項７】
前記取付部材は、前記表示パネルの後面に配置された金属製部材に固定されている、請求項１〜６のいずれか１項に記載の表示装置。
【請求項８】
前記取付部材の前記スピーカ取付部は、前記スピーカからの音を鉛直下方向に出力する複数の音孔を有する、請求項１〜７のいずれか１項に記載の表示装置。
【請求項９】
前記取付部材は、樹脂成形により、少なくとも前記スピーカ取付部と前記スタンド取付部とが一体的に形成されている、請求項１〜８のいずれか１項に記載の表示装置。
【請求項１０】
テレビジョン放送を受信可能な受信部と、
テレビジョン放送を表示可能な表示パネルを含む表示装置本体と、
前記表示装置本体を支持するスタンド部材と、
前記表示装置本体に設けられるスピーカと、
前記表示装置本体に設けられ、前記スピーカを取り付けるスピーカ取付部と前記スタンド部材を取り付けるスタンド取付部とが一体的に形成された取付部材とを備えた、テレビジョン装置。
【発明の詳細な説明】
【技術分野】
【０００１】
この発明は、表示装置およびテレビジョン装置に関し、特に、スタンド部材を備えた表示装置およびテレビジョン装置に関する。
【背景技術】
【０００２】
従来、スタンド部材を備えた表示装置およびテレビジョン装置が知られている（たとえば、特許文献１参照）。
【０００３】
上記特許文献１には、表示パネルユニット（表示パネル）を含む装置本体部（表示装置本体）と、表示装置本体部を支持するスタンド部（スタンド部材）と、表示装置本体部に設けられるスピーカユニット（スピーカ）と、スタンド部を装置本体部に取り付けるためのステ−と、スピーカユニットを表示装置本体部に取り付けるためのスピーカブラケット部材とを備える表示装置が開示されている。この表示装置では、スタンド部を取り付けるためのステ−は、装置本体部の左右にそれぞれ１つずつ設けられているとともに、スピーカユニットを取り付けるためのスピーカブラケット部材は、装置本体部の左右にそれぞれ１つずつ設けられている。
【先行技術文献】
【特許文献】
【０００４】
【特許文献１】特開２００７−３３４２４４号公報
【発明の概要】
【発明が解決しようとする課題】
【０００５】
しかしながら、上記特許文献１の表示装置では、スタンド部（スタンド部材）を取り付けるためのステ−およびスピーカユニット（スピーカ）を取り付けるためのスピーカブラケット部材がそれぞれ複数設けられているため、部品点数が増加してしまうという問題点がある。
【０００６】
この発明は、上記のような課題を解決するためになされたものであり、この発明の１つの目的は、スタンド部材およびスピーカを取り付けるための部材の部品点数が増加することを抑制することが可能な表示装置およびテレビジョン装置を提供することである。
【課題を解決するための手段および発明の効果】
【０００７】
この発明の第１の局面による表示装置は、表示パネルを含む表示装置本体と、表示装置本体を支持するスタンド部材と、表示装置本体に設けられるスピーカと、表示装置本体に設けられスピーカを取り付けるスピーカ取付部とスタンド部材を取り付けるスタンド取付部とが一体的に形成された取付部材とを備える。
【０００８】
この発明の第１の局面による表示装置では、上記のように、表示装置本体に設けられスピーカを取り付けるスピーカ取付部とスタンド部材を取り付けるスタンド取付部とが一体的に形成された取付部材を設けることによって、スタンド部材を取り付けるための部材とスピーカを取り付けるための部材とを単一の取付部材により構成することができるので、スタンド部材およびスピーカを取り付けるための部材の部品点数が増加することを抑制することができる。
【０００９】
上記第１の局面による表示装置において、好ましくは、スピーカは、第１スピーカと第２スピーカとを含み、取付部材のスピーカ取付部は、第１スピーカを取り付けるための第１スピーカ取付部と第２スピーカを取り付けるための第２スピーカ取付部とを含み、第１スピーカ取付部と第２スピーカ取付部とは、スタンド取付部を挟み込むように配置された状態でスタンド取付部と一体的に形成されている。このように構成すれば、スタンド取付部を単体で形成する場合に比べて、スタンド取付部を挟み込むように配置されている第１スピーカ取付部および第２スピーカ取付部の分だけ、取付部材を長く形成することができるので、取付部材がねじれることを抑制することができる。これにより、取付部材に取り付けられたスタンド部材により表示装置本体を安定して支えることができる。また、スタンド取付部を挟み込むように配置された第１スピーカ取付部周辺および第２スピーカ取付部周辺において取付部材の表示装置本体に対する位置決めをすることができるので、スタンド取付部から遠い位置で位置決めすることができる。これにより、スタンド取付部周辺で位置決めする場合に比べて、スタンド取付部の表示装置本体に対する傾き誤差を容易に小さくすることができる。
【００１０】
上記第１の局面による表示装置において、好ましくは、取付部材には、スピーカ取付部およびスタンド取付部に加えて、電源コードを取り付けるための電源コード取付部も一体的に設けられている。このように構成すれば、電源コードを取り付けるための部材を別途設ける必要がないので、その分、部品点数を削減することができる。
【００１１】
この場合、好ましくは、取付部材には、電源コードを外部に引き出すための電源コード引出用開口部が設けられている。このように構成すれば、電源コードが取り付けられた取付部材の電源コード取付部近傍から電源コードを容易に外部に引き出すことができる。
【００１２】
上記第１の局面による表示装置において、好ましくは、表示パネルの後面に取り付けられる回路基板をさらに備え、取付部材には、スピーカ取付部およびスタンド取付部に加えて、回路基板とスピーカとを接続するための配線を取り付ける配線取付部も一体的に設けられている。このように構成すれば、回路基板とスピーカとを接続するための配線を取り付けるための部材を別途設ける必要がないので、その分、部品点数を削減することができる。
【００１３】
上記第１の局面による表示装置において、好ましくは、表示パネルの後面に取り付けられる回路基板と、表示パネルの後面に取り付けられた回路基板を覆うカバー部材とをさらに備え、取付部材は、カバー部材の一部を構成するように配置されている。このように構成すれば、表示パネルの後面に取り付けられた回路基板を覆うカバー部材により、スピーカを覆うことができるので、スピーカを覆う部材を別途設ける必要がない。これによっても、部品点数を削減することができる。また、カバー部材の内部で容易にスピーカと基板とを接続することができる。
【００１４】
上記第１の局面による表示装置において、好ましくは、取付部材は、表示パネルの後面に配置された金属製部材に固定されている。このように構成すれば、機械的な強度の高い金属製部材に固定された取付部材にスタンド部材を取り付けることができるので、スタンド部材によって表示装置本体をより安定して支持することができる。
【００１５】
上記第１の局面による表示装置において、好ましくは、取付部材のスピーカ取付部は、スピーカからの音を鉛直下方向に出力する複数の音孔を有する。このように構成すれば、スピーカを鉛直下方向に向けて取り付けることができるので、表示装置の前後方向の厚みを小さくすることができる。
【００１６】
上記第１の局面による表示装置において、好ましくは、取付部材は、樹脂成形により、少なくともスピーカ取付部とスタンド取付部とが一体的に形成されている。このように構成すれば、取付部材を金属で形成する場合に比べて、軽量化することができる。また、樹脂により電気的に絶縁されるので、たとえば、メイン電源スイッチなどの絶縁が必要な部品を取付部材に容易に取り付けることができる。
【００１７】
この発明の第２の局面によるテレビジョン装置は、テレビジョン放送を受信可能な受信部と、テレビジョン放送を表示可能な表示パネルを含む表示装置本体と、表示装置本体を支持するスタンド部材と、表示装置本体に設けられるスピーカと、表示装置本体に設けられ、スピーカを取り付けるスピーカ取付部とスタンド部材を取り付けるスタンド取付部とが一体的に形成された取付部材とを備える。
【００１８】
この発明の第２の局面によるテレビジョン装置では、上記のように、表示装置本体に設けられスピーカを取り付けるスピーカ取付部とスタンド部材を取り付けるスタンド取付部とが一体的に形成された取付部材を設けることによって、スタンド部材を取り付けるための部材とスピーカを取り付けるための部材とを単一の取付部材により構成することができるので、スタンド部材およびスピーカを取り付けるための部材の部品点数が増加することを抑制することができる。
【図面の簡単な説明】
【００１９】
【図１】本発明の一実施形態によるテレビジョン装置の前方から見た全体斜視図である。
【図２】本発明の一実施形態によるテレビジョン装置の後方から見た全体斜視図である。
【図３】本発明の一実施形態によるテレビジョン装置の全体構成を示した分解斜視図である。
【図４】本発明の一実施形態によるテレビジョン装置の構成を示したブロック図である。
【図５】本発明の一実施形態によるスピーカ／スタンド取付部材の構成を示した斜視図である。
【図６】本発明の一実施形態によるスピーカ／スタンド取付部材にスピーカおよび電源コードを取り付けた状態の斜視図である。
【図７】本発明の一実施形態によるテレビジョン装置のカバー部材を取り付けた状態の背面図である。
【図８】本発明の一実施形態によるテレビジョン装置のカバー部材を取り外した状態の背面図である。
【図９】本発明の一実施形態によるスタンド部材を表示装置本体に取り付ける前の状態の斜視図である。
【発明を実施するための形態】
【００２０】
以下、本発明の実施形態を図面に基づいて説明する。
【００２１】
図１〜図９を参照して、本発明の一実施形態によるテレビジョン装置１の構成について説明する。なお、テレビジョン装置１は、本発明の「表示装置」の一例である。
【００２２】
本発明の一実施形態によるテレビジョン装置１は、図１および図２に示すように、表示装置本体２と、スタンド部材３とを備えている。また、図３に示すように、表示装置本体２は、フロントキャビネット２１と、表示パネル２２と、回路基板２３ａおよび２３ｂと、スピーカ／スタンド取付部材２４と、カバー部材２５と、電源コード２６（図２参照）と、スピーカ２７および２８とを含んでいる。なお、スピーカ／スタンド取付部材２４は、本発明の「取付部材」の一例である。また、スピーカ２７および２８は、それぞれ、本発明の「第１スピーカ」および「第２スピーカ」の一例である。
【００２３】
フロントキャビネット２１は、図１に示すように、前面視において四角形状の枠状形状を有している。また、フロントキャビネット２１は、ポリスチレン等の樹脂で形成されている。また、フロントキャビネット２１は、前側（Ｙ１方向側）の面が光沢加工されている。また、図３に示すように、フロントキャビネット２１の後面には、スピーカ／スタンド取付部材２４およびカバー部材２５を取り付けるためのネジ穴２１１が設けられている。
【００２４】
表示パネル２２は、フロントキャビネット２１の後側（Ｙ２方向側）に配置されてフロントキャビネット２１に固定されている。また、表示パネル２２は、前側（Ｙ１方向側）の画面にテレビジョン放送の映像を表示するように構成さている。また、表示パネル２２は、後側（Ｙ２方向側）の面にリアフレーム２２１を有している。リアフレーム２２１は、金属（たとえば、ＳＥＣＣ（電気亜鉛めっき鋼板）からなる板金製）で形成されている。また、リアフレーム２２１には、信号処理用の回路基板２３ａおよび電源生成用の回路基板２３ｂを取り付けるためのネジ穴２２１ａと、スピーカ／スタンド取付部材２４を取り付けるためのネジ穴２２１ｂと、カバー部材２５を取り付けるためのネジ穴２２１ｃとが設けられている。なお、リアフレーム２２１は、本発明の「金属製部材」の一例である。
【００２５】
回路基板２３ａおよび２３ｂは、表示パネル２２の後側（Ｙ２方向側）に配置されて表示パネル２２のリアフレーム２２１に固定されている。また、回路基板２３ａは、映像、音声およびデータを入出力するための端子２３１と、スピーカ接続部２３２と、ネジ挿入穴２３４とを有している。また、回路基板２３ｂは、電源コード接続部２３３と、ネジ挿入穴２３４とを有している。また、回路基板２３ａおよび２３ｂは、ネジ挿入穴２３４を介してリアフレーム２２１のネジ穴２２１ａにネジ２３５および２５４により取り付けられている。また、回路基板２３ａおよび２３ｂは、図示しない配線によりそれぞれ表示パネル２２に接続されている。また、回路基板２３ａおよび２３ｂは、図示しない配線により互いに接続されている。また、回路基板２３ａは、テレビジョン放送を受信可能な受信部（チューナ）４（図３および図４参照）を含んでいる。
【００２６】
ここで、本実施形態では、図８に示すように、スピーカ／スタンド取付部材２４は、表示パネル２２の後側（Ｙ２方向側）に配置されて表示パネル２２のリアフレーム２２１に固定されている。また、スピーカ／スタンド取付部材２４は、図５に示すように、スタンド取付部２４１と、スピーカ取付部２４２および２４３とを含んでいる。このスピーカ／スタンド取付部材２４には、さらに、電源コード取付部２４４と、電源コード引出用開口部２４５と、配線取付部２４６と、凹状空間２４７と、ネジ挿入穴２４８ａおよび２４８ｂとが設けられている。また、スピーカ／スタンド取付部材２４は、ポリスチレン等の樹脂で形成されている。また、スタンド取付部２４１と、スピーカ取付部２４２および２４３と、電源コード取付部２４４と、電源コード引出用開口部２４５と、配線取付部２４６とは、樹脂成形により互いに一体的に形成されている。なお、スピーカ取付部２４２および２４３は、それぞれ、本発明の「第１スピーカ取付部」および「第２スピーカ取付部」の一例である。
【００２７】
また、図３に示すように、スピーカ／スタンド取付部材２４は、表示パネル２２に取り付けられた回路基板２３ａおよび２３ｂの下側（Ｚ２方向側）を覆う立壁状に形成されている。また、スピーカ／スタンド取付部材２４は、ネジ挿入穴２４８ａを介してリアフレーム２２１のネジ穴２２１ｂにネジ２４９により取り付けられている。また、スピーカ／スタンド取付部材２４は、ネジ挿入穴２４８ｂを介してリアフレーム２２１のネジ穴２２１ｂおよびフロントキャビネット２１のネジ穴２１１にネジ２５４により取り付けられている。
【００２８】
スタンド取付部２４１は、スピーカ／スタンド取付部材２４の下側（Ｚ２方向側）の面の左右方向（Ｘ方向）の略中央に配置されている。スタンド取付部２４１は、図９に示すように、フック係合部２４１ａと、ネジ穴２４１ｂおよび２４１ｃと、上面２４１ｄとを有している。フック係合部２４１ａは、左右方向（Ｘ方向）に沿って２つ配置されている。フック係合部２４１ａには、スタンド部材３の後述する凸状のフック部３１が係合するような略矩形形状の穴が形成されている。ネジ穴２４１ｂは、２つのフック係合部２４１ａを挟み込むように左右方向（Ｘ方向）の外側に１つずつ配置されている。ネジ穴２４１ｂは、スタンド部材３を取り付けるために使用される。ネジ穴２４１ｃは、２つのフック係合部２４１ａの略中央に１つ配置されている。ネジ穴２４１ｃは、工場でテレビジョン装置１を組み立てる際に、テレビジョン装置１を支持する支持具（図示せず）を取り付けるために使用される。上面２４１ｄは、スタンド取付部２４１の上側（Ｚ１方向側）面に配置されている。
【００２９】
また、本実施形態では、図５に示すように、スピーカ取付部２４２および２４３は、スピーカ／スタンド取付部材２４の左右方向（Ｘ方向）の外側に１つずつ配置されている。つまり、スピーカ取付部２４２および２４３は、スタンド取付部２４１を挟み込むように配置されている。また、スピーカ取付部２４２（２４３）は、スピーカ２７（２８）が鉛直下方向（Ｚ２方向）に音を出力するように取り付けられるように構成されている。また、スピーカ取付部２４２（２４３）は、２つのボス部２４２ａ（２４３ａ）と、複数の音孔２４２ｂ（２４３ｂ）とを有している。
【００３０】
２つのボス部２４２ａ（２４３ａ）は、左右方向（Ｘ方向）に間隔を隔てて配置されている。また、ボス部２４２ａ（２４３ａ）は、スピーカ／スタンド取付部材２４の前側（Ｙ１方向側）の面から後側（Ｙ２方向側）に突出するように形成されている。また、ボス部２４２ａ（２４３ａ）は、Ｙ方向から見て十字形状に形成されている。また、ボス部２４２ａ（２４３ａ）は、スピーカ２７（２８）の後述する取付穴２７３（２８３）に嵌まり込む（図６参照）ように構成されている。複数の音孔２４２ｂ（２４３ｂ）は、スピーカ２７（２８）の音が出力される鉛直下方向（Ｚ２方向）にスピーカ２７（２８）に対向して配置されている。複数の音孔２４２ｂ（２４３ｂ）は、スピーカ／スタンド取付部材２４の下側（Ｚ２方向側）の面に上下方向（Ｚ方向）に貫通するように形成されている。また、複数の音孔２４２ｂ（２４３ｂ）は、それぞれ左右方向（Ｘ方向）（スピーカ２７（２８）の長手方向）に延びるように形成されている。また、複数の音孔２４２ｂ（２４３ｂ）は、全体的な形状としてスピーカ２７（２８）の形状（楕円形状）に対応する左右方向（Ｘ方向）に延びる楕円形状を有している。これにより、複数の音孔２４２ｂ（２４３ｂ）をスピーカ２７（２８）の長手方向（Ｘ方向）に延びるように形成することによって、音孔２４２ｂ（２４３ｂ）を楕円形状のスピーカ２７（２８）の短手方向（Ｙ方向）に延びるように形成する場合に比べて、複数の音孔２４２ｂ（２４３ｂ）の合計面積を大きくすることができるので、スピーカ２７（２８）から発せられる音を外部に効率よく出すことが可能である。
【００３１】
図６に示すように、電源コード取付部２４４は、回路基板２３ｂの電源コード接続部２３３から電源コード引出用開口部２４５を通じて外部へ電源コード２６を導くように設けられている。電源コード取付部２４４は、スタンド取付部２４１と、スピーカ／スタンド取付部材２４のＸ２方向側に配置されたスピーカ取付部２４３との間に配置されている。また、電源コード取付部２４４は、Ｘ方向から見てＵ字形状に形成されており、電源コード２６を上下方向（Ｚ方向）で挟み込んで保持するように構成されている。
【００３２】
電源コード引出用開口部２４５は、表示装置本体２の内部から外部へ電源コード２６を引き出すために設けられている。電源コード引出用開口部２４５は、スタンド取付部２４１のＸ２方向側の端の上側（Ｚ１方向側）に配置されている。また、電源コード引出用開口部２４５は、Ｘ方向から見てＵ字形状に形成された切欠からなり、電源コード２６を上下方向（Ｚ方向）で挟み込んで固定するように構成されている。なお、カバー部材２５を後側（Ｙ２方向側）から取り付けることにより、電源コード２６は、スピーカ／スタンド取付部材２４の電源コード引出用開口部２４５とカバー部材２５とにより前後方向（Ｙ方向）にも挟み込まれる。
【００３３】
配線取付部２４６は、スピーカ２８の後述する配線２８２を回路基板２３ａのスピーカ接続部２３２へ導くように設けられている。また、配線取付部２４６は、スピーカ／スタンド取付部材２４の左右方向（Ｘ方向）の略中央の上側（Ｚ１方向側）に配置されている。また、配線取付部２４６は、配線２８２を取り付けて束ねられるようにフック形状に形成されている。
【００３４】
凹状空間２４７は、スタンド取付部２４１の上側（Ｚ１方向側）に配置されている。また、凹状空間２４７は、図７に示すように、カバー部材２５を取り付けても外部に露出するように配置されている。また、凹状空間２４７は、図６に示すように、電源コード引出用開口部２４５から引き出された電源コード２６が通ることができるように形成されている。また、凹状空間２４７の下側（Ｚ２方向側）の面は、後側（Ｙ２方向側）から前側（Ｙ１方向側）に向かうに従い所定の角度上方向（Ｚ１方向）に傾斜するように形成されている。つまり、凹状空間２４７は、外部に露出している後側（Ｙ２方向側）から前側（Ｙ１方向側）に向かうに従い、上下方向（Ｚ方向）の幅が狭くなっていくように形成されている。これにより、凹状空間２４７に対向するスタンド取付部２４１の上面２４１ｄが凹状空間２４７の奥に向かって（Ｙ１方向に向かって）徐々に上側に傾斜した形状になるので、凹状空間２４７の下側（Ｚ２方向側）に配置されているスタンド取付部２４１のＺ方向の長さを大きくすることができる。これにより、スタンド部材３を取り付けるネジ穴２４１ｂの穴の深さを深くすることができる。その結果、スタンド部材３をより安定して固定することが可能である。また、凹状空間２４７の奥に向かって凹状空間２４７の上下方向（Ｚ方向）の幅を徐々に狭くすることにより、スピーカ／スタンド取付部材２４をシボ加工する際に加工しやすい形状にすることが可能である。
【００３５】
カバー部材２５は、図２に示すように、表示パネル２２の後側（Ｙ２方向側）に配置されて表示パネル２２のリアフレーム２２１およびフロントキャビネット２１に固定されている。また、カバー部材２５は、図３に示すように、表示パネル２２に取り付けられた回路基板２３の上側（Ｚ１方向側）、左右（Ｘ方向）および後側（Ｙ２方向側）が外部に露出しないように形成されている。つまり、カバー部材２５は、スピーカ／スタンド取付部材２４とともに、表示パネル２２に取り付けられた回路基板２３ａおよび２３ｂを覆うように構成されている。また、カバー部材２５は、図７に示すように、表示パネル２２のリアフレーム２２１の後側（Ｙ２方向側）の一部を覆うように形成されている。また、カバー部材２５は、音逃し穴２５１と、切欠部２５２と、ネジ挿入穴２５３とを有している。また、カバー部材２５は、ネジ挿入穴２５３を介してリアフレーム２２１のネジ穴２２１ａ〜２２１ｃおよびフロントキャビネット２１のネジ穴２１１にネジ２５４により取り付けられている。
【００３６】
カバー部材２５の音逃し穴２５１は、図３に示すように、スピーカ２７および２８の後側（Ｙ２方向側）にスピーカ２７および２８と対向するようにそれぞれ配置されている。また、音逃し穴２５１は、スピーカ２７（２８）の形状に対応するように左右方向（Ｘ方向）に延びる矩形形状を有している。これにより、スピーカ２７および２８の後側（Ｙ２方向側）に出力された音を表示装置本体２の内部にこもらせることなく、外部に逃すことが可能である。
【００３７】
切欠部２５２は、図３に示すように、カバー部材２５の下側（Ｚ２方向側）の左右方向（Ｘ方向）の略中央に配置されている。また、切欠部２５２は、スピーカ／スタンド取付部材２４の凹状空間２４７に対応する位置に配置されている。
【００３８】
電源コード２６は、外部からの電力を表示装置本体２に供給可能に構成されている。また、電源コード２６は、図６に示すように、回路基板２３ｂの電源コード接続部２３３に接続されている。また、電源コード２６は、スピーカ／スタンド取付部材２４の電源コード取付部２４４に取り付けられている。また、電源コード２６は、スピーカ／スタンド取付部材２４の電源コード引出用開口部２４５および凹状空間２４７を通って外部に引き出されている。
【００３９】
スピーカ２７および２８は、音を出力するように構成されている。また、スピーカ２７（２８）は、スピーカ／スタンド取付部材２４のスピーカ取付部２４２（２４３）に鉛直下方向（Ｚ２方向）に音が出力されるように取り付けられている。また、スピーカ２７（２８）は、スピーカ本体２７１（２８１）と、配線２７２（２８２）と、取付穴２７３（２８３）とを有している。スピーカ２７（２８）の取付穴２７３（２８３）がスピーカ取付部２４２（２４３）のボス部２４２ａ（２４３ａ）に嵌め込まれた状態で、スピーカ本体２７１（２８１）は、スピーカ取付部２４２（２４３）の音孔２４２ｂ（２４３ｂ）が形成さている面に密着して取り付けられるように構成されている。これにより、スピーカ２７（２８）から発せられる音を表示装置本体２の内部にこもらせることなく外部に効率よく出すことが可能である。
【００４０】
配線２７２（２８２）は、スピーカ本体２７１（２８１）と回路基板２３ａのスピーカ接続部２３２とを接続している。スピーカ２８の配線２８２は、スピーカ本体２８１からスピーカ／スタンド取付部材２４の配線取付部２４６を経由してスピーカ接続部２３２に接続されている。これにより、スピーカ／スタンド取付部材２４の凹状空間２４７を回避して表示装置本体２の内部で配線２８２をスピーカ接続部２３２に容易に接続することが可能である。
【００４１】
スタンド部材３は、表示装置本体２を支持するように構成されている。また、スタンド部材３は、図３に示すように、凸状のフック部３１と、ネジ挿入穴３２とを含んでいる。また、スタンド部材３は、スピーカ／スタンド取付部材２４の下側（Ｚ２方向側）に配置され、スピーカ／スタンド取付部材２４のスタンド取付部２４１に取り付けられるように構成されている。凸状のフック部３１は、図９に示すように、スタンド取付部２４１の２つのフック係合部２４１ａに対応する位置に配置されており、フック係合部２４１ａに係合するように形成されている。また、スタンド部材３は、ネジ挿入穴３２を介してスタンド取付部２４１のネジ穴２４１ｂにネジ３３により取り付けられている。
【００４２】
本実施形態では、上記のように、表示装置本体２に設けられスピーカ２７（２８）を取り付けるスピーカ取付部２４２（２４３）とスタンド部材３を取り付けるスタンド取付部２４１とが一体的に形成されたスピーカ／スタンド取付部材２４を設けることによって、スタンド部材３を取り付けるための部材とスピーカ２７（２８）を取り付けるための部材とを単一のスピーカ／スタンド取付部材２４により構成することができるので、スタンド部材３およびスピーカ２７（２８）を取り付けるための部材の部品点数が増加することを抑制することができる。
【００４３】
また、本実施形態では、スピーカ／スタンド取付部材２４にスピーカ２７を取り付けるためのスピーカ取付部２４２とスピーカ２８を取り付けるためのスピーカ取付部２４３とを設け、スピーカ取付部２４２とスピーカ取付部２４３とを、スタンド取付部２４１を挟み込むように配置された状態でスタンド取付部２４１と一体的に形成することによって、スタンド取付部２４１を単体で形成する場合に比べて、スタンド取付部２４１を挟み込むように配置されているスピーカ取付部２４２およびスピーカ取付部２４３の分だけ、スピーカ／スタンド取付部材２４を長く形成することができるので、スピーカ／スタンド取付部材２４がねじれることを抑制することができる。これにより、スピーカ／スタンド取付部材２４に取り付けられたスタンド部材３により表示装置本体２を安定して支えることができる。また、スタンド取付部２４１を挟み込むように配置されているスピーカ取付部２４２周辺およびスピーカ取付部２４３周辺においてスピーカ／スタンド取付部材２４の表示装置本体２に対する位置決めをすることができるので、スタンド取付部２４１から遠い位置で位置決めすることができる。これにより、スタンド取付部２４１周辺で位置決めする場合に比べて、スタンド取付部２４１の表示装置本体２に対する傾き誤差を容易に小さくすることができる。
【００４４】
また、本実施形態では、スピーカ／スタンド取付部材２４に、電源コード２６を取り付けるための電源コード取付部２４４を一体的に設けることによって、電源コード２６を取り付けるための部材を別途設ける必要がないので、その分、部品点数を削減することができる。
【００４５】
また、本実施形態では、スピーカ／スタンド取付部材２４に、電源コード２６を外部に引き出すための電源コード引出用開口部２４５を設けることによって、電源コード２６が取り付けられたスピーカ／スタンド取付部材２４の電源コード取付部２４４近傍から電源コード２６を容易に外部に引き出すことができる。
【００４６】
また、本実施形態では、表示パネル２２の後（Ｙ１方向側）面に取り付けられる回路基板２３ａを設け、スピーカ／スタンド取付部材２４に、回路基板２３ａとスピーカ２８とを接続するための配線２８２を取り付ける配線取付部２４６を一体的に設けることによって、回路基板２３ａとスピーカ２８とを接続するための配線を取り付けるための部材を別途設ける必要がないので、その分、部品点数を削減することができる。
【００４７】
また、本実施形態では、表示パネル２２の後（Ｙ２方向側）面に取り付けられる回路基板２３ａおよび２３ｂと、表示パネル２２の後（Ｙ２方向側）面に取り付けられた回路基板２３ａおよび２３ｂを覆うカバー部材２５とを設け、スピーカ／スタンド取付部材２４を、カバー部材２５の一部を構成するように配置することによって、表示パネル２２の後（Ｙ２方向側）面に取り付けられた回路基板２３ａおよび２３ｂを覆うカバー部材２５により、スピーカ２７（２８）を覆うことができるので、スピーカ２７（２８）を覆う部材を別途設ける必要がない。これによっても、部品点数を削減することができる。また、カバー部材２５の内部で容易にスピーカ２７（２８）と回路基板２３ａとを接続することができる。
【００４８】
また、本実施形態では、スピーカ／スタンド取付部材２４を、表示パネル２２の後（Ｙ２方向側）面に配置された金属製のリアフレーム２２１に固定することによって、機械的な強度の高い金属製のリアフレーム２２１に固定されたスピーカ／スタンド取付部材２４にスタンド部材３を取り付けることができるので、スタンド部材３によって表示装置本体２をより安定して支持することができる。
【００４９】
また、本実施形態では、スピーカ／スタンド取付部材２４のスピーカ取付部２４２（２４３）に、スピーカ２７（２８）からの音を鉛直下方向（Ｚ２方向）に出力する複数の音孔２４２ｂ（２４３ｂ）を設けることによって、スピーカ２７（２８）を鉛直下方向（Ｚ２方向）に向けて取り付けることができるので、テレビジョン装置１の前後方向（Ｙ方向）の厚みを小さくすることができる。
【００５０】
また、本実施形態では、スピーカ／スタンド取付部材２４を、樹脂成形により、スピーカ取付部２４２（２４３）とスタンド取付部２４１とが一体的に形成されるように構成することによって、スピーカ／スタンド取付部材２４を金属で形成する場合に比べて、軽量化することができる。また、樹脂により電気的に絶縁されるので、たとえば、メイン電源スイッチなどの絶縁が必要な部品をスピーカ／スタンド取付部材２４に容易に取り付けることができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明の表示装置の一例としてテレビジョン装置を適用する例を示したが、本発明はこれに限られない。テレビジョン装置以外の表示装置に本発明を適用してもよい。たとえば、ＰＣ（パーソナルコンピュータ）のディスプレイ等に本発明を適用してもよい。
【００５３】
また、上記実施形態では、表示装置本体に２つのスピーカが設けられている例を示したが、本発明はこれに限られない。本発明では、表示装置本体に１つまたは３つ以上のスピーカが設けらている構成でもよい。この場合、スピーカ／スタンド取付部材（取付部材）にもスピーカの数に対応した数のスピーカ取付部が一体的に設けられる。
【００５４】
また、上記実施形態では、カバー部材が表示パネルのリアフレームを部分的に覆う構造において、本発明のスピーカ／スタンド取付部材（取付部材）を設ける例を示したが、本発明はこれに限られない。本発明では、カバー部材に代えて、従来のリアフレームの全体を覆うリアキャビネットを有する構造にも本発明のスピーカ／スタンド取付部材（取付部材）を適用可能である。 
【符号の説明】
【００５５】
１  テレビジョン装置（表示装置）
２  表示装置本体
３  スタンド部材
４  受信部
２２  表示パネル
２３ａ、２３ｂ  回路基板
２４  スピーカ／スタンド取付部材（取付部材）
２５  カバー部材
２６  電源コード
２７  スピーカ（第１スピーカ）
２８  スピーカ（第２スピーカ）
２２１  リアフレーム（金属製部材）
２４１  スタンド取付部
２４２  スピーカ取付部（第１スピーカ取付部）
２４２ｂ、２４３ｂ  音孔
２４３  スピーカ取付部（第２スピーカ取付部）
２４４  電源コード取付部
２４５  電源コード引出用開口部
２４６  配線取付部
２８２  配線
【図１】
2013051484.tif 000003
【図２】
2013051484.tif 000004
【図３】
2013051484.tif 000005
【図４】
2013051484.tif 000006
【図５】
2013051484.tif 000007
【図６】
2013051484.tif 000008
【図７】
2013051484.tif 000009
【図８】
2013051484.tif 000010
【図９】
2013051484.tif 000011